(57)【特許請求の範囲】
【請求項１】
発電設備に供給する水を取り込む取水口の水面に浮かべるフロート、当該フロートに設置された温度計、前記フロートを内部に収納し、水面に対して垂直方向に向けて固定される筒体、及び前記フロートを上方から吊すように支持するワイヤを有し、前記取水口付近の水温を測定する第１取水口温度測定手段と、
当該第１取水口温度測定手段に並列配置され、発電設備に供給する水を取り込む取水口の水面に浮かべるフロート、当該フロートに設置された温度計、前記フロートを内部に収納し、水面に対して垂直方向に向けて固定される筒体、及び前記フロートを上方から吊すように支持するワイヤを有し、前記取水口付近の水温を測定する第２取水口温度測定手段と、
前記第１取水口温度測定手段及び前記第２取水口温度測定手段のいずれか一方に接続切換を行う第１切換手段と、
前記取水口から取り込まれ、前記発電設備において熱交換された水を外部に放水する放水口に設けられ、当該放水口付近の水温を測定する放水口温度測定手段と、
前記第１切換手段に接続されている前記第１取水口温度測定手段及び前記第２取水口温度測定手段のいずれかが測定した水温と、前記放水口温度測定手段が測定した水温との温度差に基づいて、前記発電設備の異常の有無を判断する温度差異常判断手段と、
前記第１切換手段に接続されている前記第１取水口温度測定手段及び前記第２取水口温度測定手段のいずれかが測定した水温に基づいて、前記筒体内において前記ワイヤの引っかかりが発生している可能性の有無を判断する取水口温度計異常判断手段と、
前記温度差異常判断手段及び前記取水口温度計異常判断手段の判断結果に基づいて、警報を発生する警報手段とを備えたことを特徴とする水温測定システム。
【請求項２】
気温を測定する気温測定手段を備え、
前記取水口温度計異常判断手段は、前記第１切換手段に接続されている前記第１取水口温度測定手段及び前記第２取水口温度測定手段のいずれかが測定した水温と前記気温測定手段が測定した気温とを比較して略等しい場合に、前記筒体内において前記ワイヤの引っかかりが発生している可能性があると判断することを特徴とする請求項１記載の水温測定システム。
【請求項３】
前記取水口温度計異常判断手段が、前記筒体内において前記ワイヤの引っかかりが発生している可能性があると判定した場合に、前記第１切換手段に制御信号を出力する第１切換制御手段を備え、
前記第１切換手段は、前記第１切換制御手段からの制御信号に基づいて、接続先を前記第１取水口温度測定手段から前記第２取水口温度測定手段にあるいは前記第２取水口温度測定手段から前記第１取水口温度測定手段に自動的に切り換えることを特徴とする請求項２記載の水温測定システム。
【請求項４】
前記取水口温度計異常判断手段は、前記温度差異常判断手段が異常と判断した場合に、前記第１切換手段に接続されている前記第１取水口温度測定手段及び前記第２取水口温度測定手段のいずれかが測定した水温と前記気温測定手段が測定した気温とを比較して、略等しい場合に、前記筒体内において前記ワイヤの引っかかりが発生していると判断することを特徴とする請求項３記載の水温測定システム。
【請求項５】
前記ワイヤを巻き取る巻き取り手段と、
前記フロートから前記巻き取り手段までの前記ワイヤの長さを測定するワイヤ長測定手段とを有し、
前記取水口温度計異常判断手段は、前記ワイヤ長測定手段の測定結果を所定時間監視し、前記ワイヤの長さが一定の場合に、前記ワイヤの引っかかりが発生していると判断することを特徴とする請求項２〜４記載の水温測定システム。
【請求項６】
前記放水口温度測定手段は、第１放水口温度測定手段と、当該第１放水口温度測定手段に並列配置される第２放水口温度測定手段とを有し、
さらに、前記第１放水口温度測定手段及び前記第２放水口温度測定手段のいずれか一方に接続切換を行う第２切換手段と、
前記第２切換手段に接続されている前記第１放水口温度測定手段及び前記第２放水口温度測定手段のいずれかが測定した水温に基づいて、前記第２切換手段に接続されている放水口温度測定手段に異常が発生している可能性の有無を判断する放水口温度計異常判断手段とを備え、
前記警報手段は、前記放水口温度計異常判断手段の判断結果に基づいて、警報を発生することを特徴とする請求項１乃至５のいずれか１項記載の水温測定システム。
【請求項７】
前記放水口温度計異常判断手段が、前記放水口温度測定手段に異常が発生している可能性があると判定した場合に、前記第２切換手段に制御信号を出力する第２切換制御手段を備え、
前記第２切換手段は、前記第２切換制御手段からの制御信号に基づいて、接続先を前記第１放水口温度測定手段から前記第２放水口温度測定手段にあるいは前記第２放水口温度測定手段から前記第１放水口温度測定手段に自動的に切り換えることを特徴とする請求項６記載の水温測定システム。
【発明の詳細な説明】
【技術分野】
【０００１】
本発明は、発電設備における復水器の取水口及び放水口の海水温度を測定する水温測定システムに関する。
【背景技術】
【０００２】
従来より、発電設備においては、高温・高圧の蒸気で蒸気タービンを回転させ、この蒸気タービンを原動機として発電機を駆動することにより発電を行っている。蒸気タービンの回転に使用した蒸気は、復水器で凝縮されて水に戻され、その後ボイラに向けて循環される。すなわち、復水器は熱交換器として機能し、復水器に供給される蒸気を海水で冷却して水に戻している。
【０００３】
そこで、復水器は冷却水としての海水を海から取込むための取水口と、熱交換後の海水を海に戻すための放水口とを備えている。ここで、取水口を介して取込まれる海水と放水口を介して海に戻される海水の温度の差が大きいと環境に悪影響を与えるおそれがあるので、前記差を規定値以下に収めることが義務付けられている。このため、取水側と放水側とにそれぞれ温度計を配設して取水口に取込む海水の温度と、排水口から排出される海水の温度とを測定し、この測定データを、例えば監視室等の遠隔の記録部に送出して記録するようになっている。
【０００４】
ここで、取水側と放水側とに一対のみの温度計を設けた場合には、いずれかの温度計が故障した場合に、温度差の正確な計測ができなくなる。そこで、取水側と放水側とにそれぞれ、常用の温度計の他に待機用の温度計を配設して、いずれかの温度計が故障した場合に、これらを切替えて使用することが提案されている。例えば、特許文献１には、取水口の海水の貯留部に常用と待機用の２つの温度計が配設され、放水口の海水の貯留部にも常用と待機用の２つの温度計が配設された構成について開示されている。
【先行技術文献】
【特許文献】
【０００５】
【特許文献１】特開２００９−２９４０５２号公報
【発明の概要】
【発明が解決しようとする課題】
【０００６】
ところで、特に、取水口側の海水温度の測定においては、海面付近の温度を計測することが規定されている。このため、従来、フロートに温度計を取り付け、このフロートを水面に浮かべることによって、海面付近の温度を計測している。また、フロートは、ガイドパイプ内に収納されており、ガイドパイプ内において潮位の変動とともに上下動する。これにより、ガイドパイプがフロートの姿勢を安定させることにより、フロートが転倒したり、温度計が海面から出たり入ったりしないようになる。
【０００７】
しかしながら、ガイドパイプを長期間海水につけておくと、ガイドパイプ内に、藻や貝といった異物が付着し、さらにこの状態を放置しておいた場合には、ガイドパイプ内の異物にワイヤが引っかかるおそれがある。例えば、潮位が高いときに、フロートを支持するワイヤが引っかかってしまってフロートが上下動できない状態となり、この状態で潮位が下がった場合には、温度計が海面から離れてしまって、海水温度が計測できなくなるおそれがある。
【０００８】
また、ワイヤが引っかかっている状態から元の状態に復旧させる作業、あるいは他に異常が発生したことによる復旧作業に時間がかかる場合には、その間、海水温度が計測できなくなるおそれがある。
【０００９】
本発明は、このような問題点を解決し、海水温度を測定する温度計に異常が発生しても、海水温度の計測が可能な水温測定システムを提供することを目的とする。
【課題を解決するための手段】
【００１０】
本発明は、前記目的を達成するため、次に記載する構成を備えている。
【００１１】
（１）  発電設備に供給する水を取り込む取水口の水面に浮かべるフロート、当該フロートに設置された温度計、前記フロートを内部に収納し、水面に対して垂直方向に向けて固定される筒体、及び前記フロートを上方から吊すように支持するワイヤを有し、前記取水口付近の水温を測定する第１取水口温度測定手段と、当該第１取水口温度測定手段に並列配置され、発電設備に供給する水を取り込む取水口の水面に浮かべるフロート、当該フロートに設置された温度計、前記フロートを内部に収納し、水面に対して垂直方向に向けて固定される筒体、及び前記フロートを上方から吊すように支持するワイヤを有し、前記取水口付近の水温を測定する第２取水口温度測定手段と、前記第１取水口温度測定手段及び前記第２取水口温度測定手段のいずれか一方に接続切換を行う第１切換手段と、前記取水口から取り込まれ、前記発電設備において熱交換された水を外部に放水する放水口に設けられ、当該放水口付近の水温を測定する放水口温度測定手段と、前記第１切換手段に接続されている前記第１取水口温度測定手段及び前記第２取水口温度測定手段のいずれかが測定した水温と、前記放水口温度測定手段が測定した水温との温度差に基づいて、前記発電設備の異常の有無を判断する温度差異常判断手段と、前記第１切換手段に接続されている前記第１取水口温度測定手段及び前記第２取水口温度測定手段のいずれかが測定した水温に基づいて、前記筒体内において前記ワイヤの引っかかりが発生している可能性の有無を判断する取水口温度計異常判断手段と、前記温度差異常判断手段及び前記取水口温度計異常判断手段の判断結果に基づいて、警報を発生する警報手段とを備えたことを特徴とする水温測定システム。
【００１２】
（１）によれば、取水口温度を測定する測定手段として、第１取水口温度測定手段と第１取水口温度測定手段の２つを設け、これらを第１切換手段によって切り換えることにより、例えば、第１取水口温度測定手段が不調の場合に、取水口温度の測定に用いる測定手段を第２取水口温度測定手段に切り換える。これにより、第１取水口温度測定手段の復旧に多少時間がかかったとしても、取水口の温度測定の連続性を保つことが可能となり、信頼性が高い取水口の温度測定を行うことが可能になる。また、取水口温度計異常判断手段は、第１取水口温度測定手段からの水温を監視して、例えば、気温と同じ値を示している、といった事象が検出された場合には、前記筒体内において前記ワイヤの引っかかりが発生している可能性があると判定して、報知出力を発生する。これにより、警報出力と報知出力が発生している場合には、警報発生の原因が、ワイヤの引っかかりである可能性が高いことを予め把握しておくことが可能になる。また、警報出力は発生せず、報知出力のみが出力されている場合には、作業員が第１取水口温度測定手段の状態を確認することにより、警報発生を未然に防ぐことが可能になる。
【００１３】
（２）  （１）において、気温を測定する気温測定手段を備え、前記取水口温度計異常判断手段は、前記第１切換手段に接続されている前記第１取水口温度測定手段及び前記第２取水口温度測定手段のいずれかが測定した水温と前記気温測定手段が測定した気温とを比較して略等しい場合に、前記筒体内において前記ワイヤの引っかかりが発生している可能性があると判断することを特徴とする水温測定システム。
【００１４】
（２）によれば、第１取水口温度測定手段が測定した水温と気温測定手段が測定した気温とが略等しい場合には、第１取水口温度測定手段の温度計が、外気に晒されている状態にあり、ワイヤあるいはフロートに引っかかりが生じている可能性があると推測することが可能になる。このように、第１取水口温度測定手段の異常の原因を推測することが可能になる。
【００１５】
（３）  （１）、（２）において、前記取水口温度計異常判断手段が、前記筒体内において前記ワイヤの引っかかりが発生している可能性があると判定した場合に、前記第１切換手段に制御信号を出力する第１切換制御手段を備え、前記第１切換手段は、前記第１切換制御手段からの制御信号に基づいて、接続先を前記第１取水口温度測定手段から前記第２取水口温度測定手段にあるいは前記第２取水口温度測定手段から前記第１取水口温度測定手段に自動的に切り換えることを特徴とする水温測定システム。
【００１６】
（３）によれば、第１切換手段は、第１切換制御手段からの制御信号に基づいて前記第１取水口温度測定手段と前記第２取水口温度測定手段とを交互に自動的に切り換えることができるため、第１切換手段の切換にかかる作業負担を省くことが可能になる。
【００１７】
（４）  （３）において、前記取水口温度計異常判断手段は、前記取水口温度計異常判断手段が異常と判断した場合に、前記第１切換手段に接続されている前記第１取水口温度測定手段及び前記第２取水口温度測定手段のいずれかが測定した水温と前記気温測定手段が測定した気温とを比較して、略等しい場合に、前記筒体内において前記ワイヤの引っかかりが発生していると判断することを特徴とする水温測定システム。
【００１８】
（４）によれば、フロートが海面に浮かんでいる状態であっても水温と気温とが略等しい場合があり得る。そこで、温度差異常判断手段が異常と判断し、かつ水温と気温とを比較して、略等しい場合に、筒体内においてワイヤの引っかかりが発生していると判定することにより、ワイヤの引っかかりが発生しているという判断の信頼性が向上する。
【００１９】
（５）  （２）〜（４）において、前記ワイヤを巻き取る巻き取り手段と、前記フロートから前記巻き取り手段までの前記ワイヤの長さを測定するワイヤ長測定手段とを有し、前記取水口温度計異常判断手段は、前記ワイヤ長測定手段の測定結果を所定時間監視し、前記ワイヤの長さが一定の場合に、前記ワイヤの引っかかりが発生していると判断することを特徴とする水温測定システム。
【００２０】
（５）によれば、潮位の変化によって水面が上下することにより、フロートが上下するため、巻き取り手段からフロートを吊しているワイヤの長さも変化する。そこで、取水口温度計異常判断手段は、ワイヤの長さが長時間一定である場合に、ワイヤの引っかかりが発生していると判断することが可能になる。これにより、ワイヤの引っかかりが発生しているという判断の信頼性が向上する。
【００２１】
（６）  （１）〜（５）において、前記放水口温度測定手段は、第１放水口温度測定手段と、当該第１放水口温度測定手段に並列配置される第２放水口温度測定手段とを有し、さらに、前記第１放水口温度測定手段及び前記第２放水口温度測定手段のいずれか一方に接続切換を行う第２切換手段と、前記第２切換手段に接続されている前記第１放水口温度測定手段及び前記第２放水口温度測定手段のいずれかが測定した水温に基づいて、前記第２切換手段に接続されている放水口温度測定手段に異常が発生している可能性の有無を判断する放水口温度計異常判断手段とを備え、前記警報手段は、前記放水口温度計異常判断手段の判断結果に基づいて、警報を発生することを特徴とする水温測定システム。
【００２２】
（６）によれば、放水口温度を測定する測定手段として、第１放水口温度測定手段と第１放水口温度測定手段の２つ設け、これらを第２切換手段によって切り換えることにより、例えば、第１放水口温度測定手段が不調の場合に、放水口温度の測定に用いる測定手段を第２放水口温度測定手段に切り換える。これにより、第１放水口温度測定手段の復旧に多少時間がかかったとしても、放水口の温度測定の連続性を保つことが可能となり、信頼性が高い放水口の温度測定を行うことが可能になる。また、放水口温度計異常判断手段は、第１放水口温度測定手段からの水温データを監視して、例えば、測定温度が高すぎる、測定温度が長時間同じ値を示している、温度変化が大きすぎる、といった事象が検出された場合には、第１放水口温度測定手段に異常が発生している可能性があると判定して、報知出力を発生する。これにより、警報出力と報知出力が発生している場合には、警報発生の原因が、第１放水口温度測定手段の異常にある可能性が高いことを予め把握しておくことが可能になる。また、警報出力は発生せず、報知出力のみが出力されている場合には、作業員が第１放水口温度測定手段の状態を確認することにより、警報発生を未然に防ぐことが可能になる。
【００２３】
（７）  （６）において、前記放水口温度計異常判断手段が、前記放水口温度測定手段に異常が発生している可能性があると判定した場合に、前記第２切換手段に制御信号を出力する第２切換制御手段を備え、前記第２切換手段は、前記第２切換制御手段からの制御信号に基づいて、接続先を前記第１放水口温度測定手段から前記第２放水口温度測定手段にあるいは前記第２放水口温度測定手段から前記第１放水口温度測定手段に自動的に切り換えることを特徴とする水温測定システム。
【００２４】
（７）によれば、第２切換手段は、第２切換制御手段からの制御信号に基づいて、前記第１放水口温度測定手段と前記第２放水口温度測定手段とを交互に自動的に切り換えることができるため、第２切換手段の切換にかかる作業負担を省くことが可能になる。
【発明の効果】
【００２５】
本発明によれば、第１取水口温度測定手段からの水温データに基づいて、第１取水口温度測定手段が不調であるか否かを判断し、第１取水口温度測定手段による測定が不調な場合には、第１取水口温度測定手段から第２取水口温度測定手段に切り換えることにより、連続して海水温度の計測を継続することが可能になる。
【図面の簡単な説明】
【００２６】
【図１】本発明の第１実施形態の水温測定システムに係る取水口温度計及び放水口温度計の配置を示す説明図である。
【図２】常用取水口温度計の構成を示す側面図である。
【図３】常用放水口温度計の構成を示す側面図である。
【図４】本発明の第１実施形態における電気回路系の構成を示すブロック図である。
【図５】取水口温度計、放水口温度計及び変換器の構成を示すブロック図である。
【図６】総量計の制御系を示すブロック図である。
【図７】本発明の第２実施形態に係る総量計の制御系を示すブロック図である。
【図８】本発明の第２実施形態において実行される制御処理を示すフローチャートである。
【図９】本発明の第２実施形態において実行される制御処理を示すフローチャートである。
【図１０】本発明の他の実施形態における電気回路系の構成を示すブロック図である。
【発明を実施するための形態】
【００２７】
以下、本発明の実施形態について、図面を参照しながら詳細に説明する。
【００２８】
［第１実施形態］
図１は、本発明の第１実施形態の水温測定システムに係る取水口温度計及び放水口温度計の配置を示す説明図である。
【００２９】
３つの発電設備として１号機、２号機及び３号機が、海岸沿いの敷地に建てられている。また、海岸には、第１取水口１０、第２取水口１２及び第３取水口１４が設けられている。また、第１取水口１０、第２取水口１２及び第３取水口１４から比較的離れた位置に、第１放水口２０、第２放水口２２及び第３放水口２４が設けられている。
【００３０】
さらに、敷地には、第１取水口１０から取水された海水を１号機に供給し、１号機を通過した海水を第１放水口２０に導く第１水路３０が設けられている。同様に、敷地には、第２取水口１２から取水された海水を２号機に供給し、２号機を通過した海水を第２放水口２２に導く第２水路３２、第３取水口１４から取水された海水を３号機に供給し、３号機を通過した海水を第３放水口２４に導く第３水路３４が設けられている。
【００３１】
また、海岸には、第１取水口１０、第２取水口１２及び第３取水口１４を囲むようにカーテンウォール４０が設けられている。カーテンウォール４０には開口部４２が形成されており、この開口部４２は、カーテンウォール４０において最低潮位の海面よりも下方、すなわち海中に位置する領域の一部に形成されている。これにより、開口部４２からは、海中において比較的に深いところの冷たい海水が通って、第１取水口１０、第２取水口１２及び第３取水口１４に向かうようになる。
【００３２】
カーテンウォール４０に囲まれた領域の海水は、第１取水口１０、第２取水口１２及び第３取水口１４を通って１号機、２号機及び３号機に供給される。供給された海水は、図示しない復水器の冷却に使用され、熱せられた状態で１号機、２号機及び３号機から放出される。放出された海水は、第１放水口２０、第２放水口２２及び第３放水口２４から海に放水される。
【００３３】
カーテンウォール４０には、一対の取水口温度計５０が並設されている。一対の取水口温度計５０は、第１取水口温度測定手段に相当する常用取水口温度計５１と、第２取水口温度測定手段に相当する予備取水口温度計５２とからなる。常用取水口温度計５１及び予備取水口温度計５２は、それぞれ海面付近の水温を計測するものである。なお、常用取水口温度計５１と予備取水口温度計５２とは、同一構造である。
【００３４】
第１放水口２０、第２放水口２２及び第３放水口２４には、それぞれ一対の放水口温度計７０が並設されている。一対の放水口温度計７０は、第１放水口温度測定手段に相当する常用放水口温度計７１と、第２放水口温度測定手段に相当する予備放水口温度計７２とからなる。常用放水口温度計７１及び予備放水口温度計７２は、それぞれ発電設備から送られた海水の温度を計測するものである。また、常用放水口温度計７１と予備放水口温度計７２とは、同一構造である。
【００３５】
図２は、常用取水口温度計の構成を示す側面図である。常用取水口温度計５１は、フロート５４と、温度計５６と、ワイヤ５８と、巻き取り手段に相当する巻き取り装置６０と、カバー６２と、筒体に相当するガイドパイプ６４とを備えている。
【００３６】
カバー６２は、略直方体型の筺体であり、カバー６２の内部には、巻き取り装置６０が収納される。また、ガイドパイプ６４は、円筒状の部材であり、ガイドパイプ６４の一端部が、カバー６２の底部に固定される。ガイドパイプ６４の内部には、フロート５４が、ガイドパイプ６４の長手方向に沿って移動可能に収納される。
【００３７】
フロート５４は、浮揚性を有する部材から構成されており、フロート５４の底部には温度計５６が取り付けられている。また、フロート５４の中心に対して温度計５６の反対側の部位に、ワイヤ５８の一端が固定されている。また、ワイヤ５８の他端は、巻き取り装置６０に固定されている。
【００３８】
常用取水口温度計５１は、図２に示すように、カバー６２がカーテンウォール４０よりも上方に配置され、ガイドパイプ６４の中心軸が海水面に対して垂直方向に向けられ、最低潮位の時にガイドパイプ６４の他端部が海面に浸るように、カーテンウォール４０に固定される。常用取水口温度計５１がカーテンウォール４０に固定された状態において、ガイドパイプ６４内に海水が入り込んでいる。この海水面にフロート５４が浮遊し、温度計５６が下方を向いて海水に浸る。また、フロート５４は、上部に配置された巻き取り装置６０からワイヤ５８によって吊り下げられた状態となる。ここで、巻き取り装置６０は、ワイヤ５８の巻き取りを行うものであり、この巻き取り装置６０によってワイヤ５８が弛まないようになる。
【００３９】
潮の干満によって潮位が変化すると、それに応じてガイドパイプ６４内の水位が変化する。この変化に応じてフロート５４がガイドパイプ６４内において上下移動するとともに、フロート５４の上下移動分だけワイヤ５８の長さが調節される。また、図示していないが、ワイヤ５８には、温度計５６に対して駆動電源を供給するための電源ケーブルと、温度計５６が計測した温度を出力するための信号ケーブルとが備えられている。
【００４０】
図３は、常用放水口温度計の構成を示す側面図である。常用放水口温度計７１は、シャフト７６の先端部に温度計７４を取り付けたものである。シャフト７６の内部には、温度計７４に対して駆動電源を供給するための電源ケーブルと、温度計７４が計測した温度を出力するための信号ケーブルとが備えられている。
【００４１】
常用放水口温度計７１は、シャフト７６の中心軸を海面に対して垂直方向に向け、温度計７４が、発電設備から送られた海水に浸るように、所定位置に固定される。
【００４２】
図４は、本実施形態の電気回路系の構成を示すブロック図である。発電所の敷地には、発電設備の他にも、中央制御室が設けられている。中央制御室は、１号機と２号機の運転制御を行う１，２号中央制御室と、３号機の運転制御を行う３号中央制御室の２つあり、１，２号中央制御室には、記録計１００、総量計１０２が備えられている。また、総量計１０２には、外気温計測用温度計９０が接続されている。３号中央制御室には、記録計１００が備えられている。
【００４３】
また、１，２号中央制御室には、計算機室が備えられており、この計算機室には、取水口温度計５０に接続される変換器８０、及び第１放水口２０の放水口温度計７０に接続される変換器８０、及び第２放水口２２の放水口温度計７０に接続される変換器８０が備えられている。また、第３放水口２４の放水口温度計７０に接続される変換器８０は、３号中央制御室に設けられている。
【００４４】
取水口温度計５０、第１放水口２０の放水口温度計７０、第２放水口２２の放水口温度計７０、第３放水口２４の放水口温度計７０には、それぞれ変換器８０が接続されている。これら変換器８０は、１，２号中央制御室の記録計１００及び総量計１０２、並びに３号中央制御室の記録計１００に接続されている。
【００４５】
変換器８０は、取水口温度計５０あるいは放水口温度計７０から送信される海水温度の測定結果としての信号を、記録計１００及び総量計１０２が解析可能な形式の信号に変換して、中央制御室に出力するものである。
【００４６】
１，２号中央制御室の記録計１００は、取水口温度計５０が測定した海面温度、及び第１放水口２０の放水口温度計７０及び第２放水口２２の放水口温度計７０が測定した第１放水口２０及び第２放水口２２の海水温度を、例えばＲＡＭ（ｒａｎｄｏｍ−ａｃｃｅｓｓ  ｍｅｍｏｒｙ）にデータ記録、あるいは記録紙に印字記録するものである。
【００４７】
総量計１０２は、取水口温度計５０が測定した海面温度、及び第１放水口２０の放水口温度計７０、第２放水口２２の放水口温度計７０及び第３放水口２４の放水口温度計７０が測定した第１放水口２０、第２放水口２２及び第３放水口２４の海水温度に基づいて、第１水路３０（図１参照）、第２水路３２（図１参照）及び第３水路３４（図１参照）それぞれにおける温度差平均値、温度差瞬時値及び取水口海水温度変化率を求めるものである。
【００４８】
さらに、総量計１０２は、取水口温度計５０が測定した海面温度、及び第１放水口２０、第２放水口２２、第３放水口２４の放水口温度計７０が測定した第１放水口２０、第２放水口２２及び第３放水口２４の海水温度、温度差平均値、温度差瞬時値及び取水口海水温度変化率の値を監視し、温度差平均値、温度差瞬時値及び取水口海水温度変化率の値が正常であるか否かの判定、及び取水口温度計５０や放水口温度計７０が不調であるか否かの判定を行う。
【００４９】
図５は、取水口温度計５０、放水口温度計７０及び変換器８０の電気的接続を示すブロック図であり、図５（ａ）は、取水口温度計５０と変換器８０との接続を示し、図５（ｂ）は、放水口温度計７０と変換器８０との接続を示すものである。
【００５０】
取水口温度計５０と変換器８０は、図５（ａ）に示すように、スイッチＳＷ１１とスイッチＳＷ２１とを介して接続されている。スイッチＳＷ１１は、１つの出力端子に対して、常用取水口温度計５１の入力端子又は予備取水口温度計５２の入力端子のいずれか一方を選択的に接続するものである。スイッチＳＷ１１は、取水口温度計５０の近くに設置された取水口海水温度計盤（図示せず）に備えられている。このように、スイッチＳＷ１１は、第１切換手段に相当する。
【００５１】
放水口温度計７０と変換器８０は、図５（ｂ）に示すように、スイッチＳＷ１２とスイッチＳＷ２２とを介して接続されている。スイッチＳＷ１２は、１つの出力端子に対して、常用放水口温度計７１の入力端子又は予備放水口温度計７２の入力端子のいずれか一方を選択的に接続するものである。スイッチＳＷ１２は、放水口温度計７０の近くに設置された放水口海水温度計盤（図示せず）に備えられている。このように、スイッチＳＷ１２は、第２切換手段に相当する。
【００５２】
取水口温度計５０に接続される変換器８０は、図５（ａ）、図５（ｂ）に示すように、常用変換器８１、予備変換器８２、及びスイッチＳＷ２１とスイッチＳＷ３１とを備えている。スイッチＳＷ２１は、スイッチＳＷ１１の出力端子に接続された１つの入力端子に対して、常用変換器８１の入力端子又は予備変換器８２の入力端子のいずれか一方を選択的に接続するものである。スイッチＳＷ３１は、１，２号中央制御室に信号を送信するための１つの出力端子に対して、常用放水口温度計７１の出力端子又は予備放水口温度計７２の出力端子のいずれか一方を選択的に接続するものである。
【００５３】
放水口温度計７０に接続される変換器８０は、取水口温度計５０に接続される変換器８０と同一構成であるため、詳細な説明は省略するが、取水口温度計５０に接続される変換器８０におけるスイッチＳＷ２１、ＳＷ３１については、放水口温度計７０に接続される変換器８０においてはスイッチＳＷ２２、ＳＷ３２と称することにする。
【００５４】
通常状態（異常が発生していない状態）においては、スイッチＳＷ１１は、常用取水口温度計５１に接続され、スイッチＳＷ２１は、常用放水口温度計７１に接続され、スイッチＳＷ２１、ＳＷ２２、ＳＷ３１、ＳＷ３２は、常用変換器８１に接続されている。
【００５５】
このため、通常状態においては、常用取水口温度計５１の測定結果、第１放水口２０、第２放水口２２、第３放水口２４の常用放水口温度計７１の測定結果が、各々に対応する常用変換器８１を介して記録計１００及び総量計１０２に送信されることになる。
【００５６】
図６は、総量計１０２の制御系を示すブロック図である。総量計１０２は、ＣＰＵ１５０、ＲＡＭ１５２、ＲＯＭ１５４、操作パネル１５６、表示装置１５８、警報盤１６０及びＩ／Ｏ１６２が備えられている。
【００５７】
ＣＰＵ１５０は、総量計１０２全体を制御するものであり、ＣＰＵ１５０には、ＣＰＵ１５０、ＲＡＭ１５２、ＲＯＭ１５４、操作パネル１５６、表示装置１５８、警報盤１６０及びＩ／Ｏ１６２が接続されている。
【００５８】
ＲＡＭ１５２は、ＣＰＵ１５０が各種の処理を行うための作業フィールドとなるとともに、各種のデータを記憶するものである。
【００５９】
ＲＯＭ１５４は、総量計１０２全体を制御するプログラムや、各種のデータ処理をＣＰＵ１５０に実行させるためのプログラムが記憶されている。具体的には、取水口温度計５０及び放水口温度計７０からの測定結果に基づいて、温度差平均値、温度差瞬時値及び取水口海水温度変化率を求めるプログラム、温度差平均値、温度差瞬時値及び取水口海水温度変化率の値が正常であるか否かを判定するプログラム、取水口温度計５０や放水口温度計７０が不調であるか否かを判定するプログラム等が記憶されている。
【００６０】
操作パネル１５６には、取水口計器点検スイッチ１７０、１号機用の第１放水口計器点検スイッチ１７２、２号機用の第２放水口計器点検スイッチ１７４、３号機用の第３放水口計器点検スイッチ１７６等が設けられている。
【００６１】
取水口計器点検スイッチ１７０は、オン状態においては変換器８０を介して送られる取水口温度計５０からの信号をホールドし、オフ状態においてはホールド状態を解除して、変換器８０を介して送られる取水口温度計５０からの信号を総量計１０２に送るものである。
【００６２】
第１放水口計器点検スイッチ１７２は、オン状態においては変換器８０を介して送られる第１放水口２０の取水口温度計５０からの信号をホールドし、オフ状態においてはホールド状態を解除して、変換器８０を介して送られる第１放水口２０の取水口温度計５０からの信号を総量計１０２に送るものである。
【００６３】
第２放水口計器点検スイッチ１７４は、オン状態においては変換器８０を介して送られる第２放水口２２の取水口温度計５０からの信号をホールドし、オフ状態においてはホールド状態を解除して、変換器８０を介して送られる第２放水口２２の取水口温度計５０からの信号を総量計１０２に送るものである。
【００６４】
第３放水口計器点検スイッチ１７６は、オン状態においては変換器８０を介して送られる第３放水口２４の取水口温度計５０からの信号をホールドし、オフ状態においてはホールド状態を解除して、変換器８０を介して送られる第３放水口２４の取水口温度計５０からの信号を総量計１０２に送るものである。
【００６５】
作業員が操作パネル１５６を操作することによって、各種の命令やデータが入力される。取水口計器点検スイッチ１７０が押下されると、変換器８０から送られる取水口温度計５０からの信号がホールドされる。このため、その後、取水口温度計５０の計測結果に変化があったとしても、総量計１０２には、ホールドした信号が入力されるため、一定値が入力されるようになる。これにより、総量計１０２は、警報を発生しない状態となる。
【００６６】
例えば、取水口温度計５０を点検するために、スイッチＳＷ１１を切り換えると、記録計１００及び総量計１０２に送られる信号が一時的に大きく変化する。この時、総量計１０２は、温度差瞬時値が異常である、あるいは取水口温度計５０が不調であると判定して、警報を発生させることがあり得る。そこで、取水口温度計５０を点検する前に、取水口計器点検スイッチを押下（オン）することにより、点検時の警報の発生を防止することができる。第１放水口計器点検スイッチ１７２、第２放水口計器点検スイッチ１７４及び第３放水口計器点検スイッチ１７６を押下（オン）した場合も同様に、変換器８０から送られる放水口温度計７０からの信号がホールドされる。
【００６７】
表示装置１５８は、各種の情報を画像表示するものである。具体的には、現時点の、温度差平均値、温度差瞬時値及び取水口海水温度変化率が表示される。
【００６８】
警報盤１６０には、発光や音声等による警報器が備えられている。具体的に、警報盤１６０には、温度差平均値異常を警告する警報ランプ、温度差瞬時値異常を警告する警報ランプ等、温度差異常を警告するための警報ランプからなる警報ランプ群１６２、取水口海水温度変化率異常を警告する警報ランプ１６３、取水口温度計５０の不調を報知する警報ランプ１６４、及び第１放水口２０、第２放水口２２、第３放水口２４の放水口温度計７０の不調を報知する警報ランプ１６６、１６７、１６８が備えられている。このように、警報盤１６０は、警報手段に相当する。
【００６９】
Ｉ／Ｏ１６２は、総量計１０２に接続されている機器からの信号入力、あるいは信号出力を行うものである。Ｉ／Ｏ１６２には、取水口温度計５０に対応する変換器８０（図５参照）の出力端子、第１放水口２０（図１参照）、第２放水口２２（図１参照）、第３放水口２４（図１参照）の放水口温度計７０（図１参照）に対応する変換器８０の（図４参照）出力端子、及び外気温計測用温度計９０（図４参照）の出力端子が、ケーブルを介して接続されている。
【００７０】
次に、中央制御室における海水温度の監視処理について、図１、図５、図６を参照しながら説明する。総量計１０２のＣＰＵ１５０は、変換器８０を介して送信される取水口温度計５０及び放水口温度計７０からの信号に基づいて、取水口の海面温度及び第１放水口２０、第２放水口２２、第３放水口２４の海水温度を監視し、また、ＣＰＵ１５０は、温度差平均値、温度差瞬時値及び取水口海水温度変化率を演算によって求め、その値を監視する。さらに、外気温計測用温度計９０の測定結果に基づいて外気温を監視する。
【００７１】
また、ＣＰＵ１５０は、演算によって求めた温度差平均値、温度差瞬時値及び取水口海水温度変化率と、予め定められた規定値とを比較する。そして、演算によって求めた温度差平均値、温度差瞬時値及び取水口海水温度変化率が規定値を越えたと判断した場合に、警報信号を警報盤１６０に出力する。ＣＰＵ１５０が、温度差平均値が規定値を越えた場合、あるいは温度差瞬時値が規定値を越えた場合には、警報盤１６０において、警報ランプ群１６２においてそれぞれ対応する警報ランプが点灯する。ＣＰＵ１５０が、取水口海水温度変化率が規定値を越えたと判断した場合には警報ランプ１６３が点灯する。このように、総量計１０２のＣＰＵ１５０は、温度差異常判断手段に相当する。
【００７２】
具体的には、ＣＰＵ１５０は、温度差平均値が６．９７度を越えたと判断した場合に、温度差平均値異常を示す警報信号を警報盤１６０に出力する。同様に、ＣＰＵ１５０は、温度差瞬時値が８．０度を越えたと判断した場合に、温度差瞬時値異常を示す警報信号を警報盤１６０に出力する。さらに、ＣＰＵ１５０は、取水口海水温度変化率が±０．１６度／分を越えた場合に、温度差瞬時値異常を示す警報信号を警報盤１６０に出力する。
【００７３】
また、ＣＰＵ１５０は、第１放水口２０、第２放水口２２、第３放水口２４の放水口温度計７０が測定する海水温度の測定値が、異常に高すぎたり、異常に変動したり、長時間一定値を取り続けるといった、通常ではあり得ない温度変化を検出した場合に、警報信号を警報盤１６０に出力する。ＣＰＵ１５０が、第１放水口２０の放水口温度計７０に通常ではあり得ない温度変化を検出した場合には、警報ランプ１６６を点灯させ、第２放水口２２の放水口温度計７０に通常ではあり得ない温度変化を検出した場合には、警報ランプ１６７を点灯させ、第３放水口２３の放水口温度計７０に通常ではあり得ない温度変化を検出した場合には、警報ランプ１６８を点灯させる。このように、総量計１０２のＣＰＵ１５０は、放水口温度計異常判断手段に相当する。
【００７４】
また、ＣＰＵ１５０は、外気温計測用温度計９０が測定している外気温と、常用取水口温度計５１が測定している海面温度とをリアルタイムで比較し、その差が微小なものであるか否かを判定する。そして、微小なものであると判定した場合に、外気温計測用温度計９０が測定している外気温と、取水口温度計５０が測定している海面温度が略一致しているとして、取水口温度計５０が不調であることを示す警報信号を警報盤１６０に出力する。警報盤１６０は、取水口温度計５０が不調であることを示す警報信号に基づいて警報ランプ１６４を点灯させる。このように、総量計１０２のＣＰＵ１５０は、取水口温度計異常判断手段に相当する。また、外気温計測用温度計９０は、気温測定手段に相当する。
【００７５】
ここで、通常は、常用取水口温度計５１及び常用放水口温度計７１からの測定結果が総量計１０２に入力されるため、取水口温度計５０の不調を報知する警報ランプ１６４、放水口温度計７０の不調を報知する警報ランプ１６６、１６７、１６８が点灯した場合には、常用取水口温度計５１及び常用放水口温度計７１の不調を示すことになる。
【００７６】
警報盤１６０において、警報ランプ群１６２の温度差平均値異常を警告する警報ランプ、温度差瞬時値異常を警告する警報ランプ、及び取水口海水温度変化率異常を警告する警報ランプ１６３が点灯した場合に、作業員は、警報内容を確認する。ここで、取水口の海面温度の測定に用いる温度計を、常用取水口温度計５１から予備取水口温度計５２に切り換える必要が生ずる可能性があると判断した場合には、操作パネル１５６の取水口計器点検スイッチ１７０を押下（オン）して、常用取水口温度計５１からの信号をホールドする。なお、警報盤１６０において、取水口温度計５０の不調を報知する警報ランプ１６４が点灯している場合には、常用取水口温度計５１のフロート５４が、ガイドパイプ６４の内部において何らかの原因で引っかかり、温度計５６が大気中に晒された状態にある可能性があることを、作業員が予め把握しておくことが可能になる。
【００７７】
次に、作業員は、常用取水口温度計５１が設置されている現場に赴き、ワイヤ５８が引っかかってフロート５４の動きが規制されているか否かを確認する。ワイヤ５８が引っかかっている場合には、ワイヤ５８を操作して、フロート５４の復旧を行う。フロート５４の復旧によって警報盤１６０の警報ランプが消灯した場合には、中央制御室において記録計１００の記録を参照して、常用取水口温度計５１が作動していることを確認する。常用取水口温度計５１が正常に作動していることが確認できた場合には、取水口計器点検スイッチをオフにする。これにより、ホールド状態が解除され、取水口温度計５０の測定結果が総量計１０２に入力される。そして、記録計１００、総量計１０２の状態を確認し、異常が見られなければそのまま、監視状態を継続させる。
【００７８】
フロート５４を復旧させても警報盤１６０の警報ランプが消灯しない場合には、作業員は、常用取水口温度計５１とともに設置されている取水口海水温度計盤のスイッチＳＷ１１を操作して、常用取水口温度計５１から予備取水口温度計５２に切り換え、さらに、補修担当の部署に連絡する。
【００７９】
また、警報発生の原因が、常用取水口温度計５１や常用変換器８１の不調である場合、又は巻き取り装置６０の不良である場合には、作業員は、スイッチＳＷ１１を操作して、海面温度の計測に用いる温度計を、常用取水口温度計５１から予備取水口温度計５２に切り換えるとともに、補修担当の部署に連絡する。
【００８０】
なお、警報発生の原因が、ケーブル断線である場合には、作業員は、補修担当の部署に連絡する。
【００８１】
取水口海水温度計盤のスイッチＳＷ１１を切り換えた後に、作業者は、計算機室に設置されている変換器８０のスイッチＳＷ２１、スイッチＳＷ３１を、常用変換器８１から予備変換器８２に切り換える。ここで、スイッチＳＷ２１とスイッチＳＷ３１とは連動しており、スイッチＳＷ２１を、常用変換器８１から予備変換器８２に切り換えることによって、自動的にスイッチＳＷ３１も常用変換器８１から予備変換器８２に切り換わる。
【００８２】
そして、作業員は、１，２号中央制御室の記録計１００の記録を参照して、予備取水口温度計５２が作動していることを確認する。ここで、総量計１０２への入力はホールドされているが、記録計１００への入力はホールドされていないため、復旧作業時における取水口温度計５０の測定結果が、ＲＡＭあるいは記録紙に記録されている。このため、記録計１００の記録を参照することにより、常用取水口温度計５１又は予備取水口温度計５２が安定して作動しているか否かを確認することができる。
【００８３】
記録計１００の記録によって、予備取水口温度計５２が安定して作動していることを確認した場合には、取水口計器点検スイッチ１７０をオフにする。これにより、ホールド状態が解除され、予備取水口温度計５２の測定結果が総量計１０２に入力される。最後に、記録計１００及び総量計１０２の状態を確認し、異常が見られなければそのまま、監視状態を継続させる。
【００８４】
また、作業員は、第１放水口２０、第２放水口２２の放水口温度計７０の不調を報知する警報ランプ１６６、１６７が点灯した場合には、警報内容を確認する。ここで、第１放水口２０、第２放水口２２の海水温度測定に用いる温度計を、常用放水口温度計７１から予備放水口温度計７２に切り換える必要が生ずる可能性があると判断した場合には、操作パネル１５６における第１放水口計器点検スイッチ１７２あるいは第２放水口計器点検スイッチ１７４を押下（オン）して、常用放水口温度計７１からの信号をホールドする。
【００８５】
次に、作業員は、常用放水口温度計７１が設置されている第１放水口２０あるいは第２放水口２２に赴き、常用放水口温度計７１とともに設置されている放水口海水温度計盤のスイッチＳＷ１２を操作して、常用放水口温度計７１から予備放水口温度計７２に切り換える。さらに、作業員は、補修担当の部署に連絡する。
【００８６】
放水口海水温度計盤のスイッチＳＷ１２を切り換えた後に、作業者は、計算機室に設置されている変換器８０のスイッチＳＷ２２、スイッチＳＷ３２を、常用変換器８１から予備変換器８２に切り換える。ここで、スイッチＳＷ２２とスイッチＳＷ３２とは連動しており、スイッチＳＷ２２を、常用変換器８１から予備変換器８２に切り換えることによって、自動的にスイッチＳＷ３２も常用変換器８１から予備変換器８２に切り換わる。
【００８７】
そして、１，２号中央制御室の作業員は、２号中央制御室の記録計１００の記録を参照して、予備放水口温度計７２が作動していることを確認する。予備放水口温度計７２が作動していることを確認できた場合には、第１放水口計器点検スイッチ１７２あるいは第２放水口計器点検スイッチ１７４をオフにする。総量計１０２の状態を確認し、異常が見られなければそのまま、監視状態を継続させる。
【００８８】
また、作業員は、第３放水口２４の放水口温度計７０の不調を報知する警報ランプ１６８が点灯した場合に、警報内容を確認する。ここで、第３放水口２４の海水温度測定に用いる温度計を、常用放水口温度計７１から予備放水口温度計７２に切り換える必要が生ずる可能性があると判断した場合には、操作パネル１５６における第３放水口計器点検スイッチ１７６を押下（オン）して、常用放水口温度計７１からの信号をホールドする。
【００８９】
次に、作業員は、常用放水口温度計７１が設置されている第３放水口２４に赴き、常用放水口温度計７１とともに設置されている放水口海水温度計盤のスイッチＳＷ１２を操作して、常用放水口温度計７１から予備放水口温度計７２に切り換える。さらに、補修担当の部署に連絡する。
【００９０】
放水口海水温度計盤のスイッチＳＷ１２を切り換えた後に、作業者は、３号中央制御室の作業員に、３号中央制御室に設置されている変換器８０のスイッチＳＷ２２、スイッチＳＷ３２を、常用変換器８１から予備変換器８２に切り換える作業を行うように依頼する連絡を行う。ここで、スイッチＳＷ２２とスイッチＳＷ３２とは連動しており、スイッチＳＷ２１を、常用変換器８１から予備変換器８２に切り換えることによって、自動的にスイッチＳＷ３１も常用変換器８１から予備変換器８２に切り換わる。
【００９１】
そして、３号中央制御室の作業員は、変換器８０のスイッチＳＷ２２、スイッチＳＷ３２を常用変換器８１から予備変換器８２に切り換え、さらに、３号中央制御室の記録計１００の記録を参照して、予備放水口温度計７２が作動していることを確認する。予備放水口温度計７２が作動していることを確認できた場合には、１，２号中央制御室の作業員に、作業の終了を連絡する。この連絡を受けた１，２号中央制御室の作業員は、第３放水口計器点検スイッチ１７６をオフにして、総量計１０２の状態を確認し、異常が見られなければそのまま、監視状態を継続させる。
【００９２】
なお、常用取水口温度計５１から予備取水口温度計５２に、あるいは常用放水口温度計７１から予備放水口温度計７２に切り換えている間に、警報発生の原因を究明し、復旧作業を行う。復旧作業が終了した後は、予備取水口温度計５２から常用取水口温度計５１に、予備放水口温度計７２から常用放水口温度計７１に切り換えておくことが望ましい。予備取水口温度計５２から常用取水口温度計５１あるいは予備放水口温度計７２から常用放水口温度計７１に切り換える場合も、取水口計器点検スイッチ１７０あるいは第１放水口計器点検スイッチ１７２、第２放水口計器点検スイッチ１７４、第３放水口計器点検スイッチ１７６のいずれかをオンにし、各種のスイッチＳＷ１１、ＳＷ２１、ＳＷ３１、ＳＷ１２、ＳＷ２２、ＳＷ３２を切り換えた後に取水口計器点検スイッチ１７０あるいは第１放水口計器点検スイッチ１７２、第２放水口計器点検スイッチ１７４、第３放水口計器点検スイッチ１７６をオフにする手順で切り換え作業を行うことが望ましい。
【００９３】
ところで、１，２号機の中央制御室において、常用取水口温度計５１から予備取水口温度計５２への切り換えを行う場合には、３号機の中央制御室の作業員に、常用取水口温度計５１から予備取水口温度計５２への切り換えを行う旨を連絡することが望ましい。本実施形態においては、取水口温度計５０の計測結果が、３号機の中央制御室の記録計１００にも送信されており、３号機の中央制御室において取水口側と第３放水口２４との温度差を監視している。このため、取水口温度計５０において、常用取水口温度計５１と予備取水口温度計５２との切り換えを行った場合、３号機の中央制御室における取水口側の海面温度の値が変動することになる。そこで、３号機の中央制御室において混乱が生じないように、取水口計器点検スイッチ１７０を押下する前に、予め連絡するとよい。
【００９４】
なお、３号機の中央制御室に対して確実に連絡させるように、取水口計器点検スイッチ１７０を押下したときに、「３号機の中央制御室への連絡はお済みですか？」といった内容の音声を出力したり、総量計１０２に備えた表示装置１５８に表示させてもよい。
【００９５】
さらには、取水口計器点検スイッチ１７０を押下した旨を示す文字データ、例えば、「取水口計器点検スイッチが押下されました。１，２号中央制御室」といった文字データを予め作成しておき、取水口計器点検スイッチ１７０を押下したときに、取水口計器点検スイッチ１７０を押下した旨を示す文字データを、３号中央制御室に自動送信する。３号中央制御室においては、１，２号中央制御室から文字データを受信すると、図示しない表示装置に文字データが自動表示される。３号中央制御室の作業員は、１，２号中央制御室からの文字データを見ることにより、常用取水口温度計５１から予備取水口温度計５２への切り換えが行われる可能性があることを知ることができる。そして、常用取水口温度計５１から予備取水口温度計５２への切り換えが行われたか否かは、記録計１００の記録を見ることによって判別することが可能である。このようなシステムを備えることにより、１，２号中央制御室において取水口計器点検スイッチ１７０を押下した旨が、３号中央制御室の作業員に確実に伝達できるようになる。
【００９６】
以上、説明したように第１実施形態によれば、取水口温度を測定する測定手段として、常用取水口温度計５１と予備取水口温度計５２の２つを設け、これらをスイッチＳＷ１１によって切り換えることにより、例えば、常用取水口温度計５１が不調の場合に、取水口温度の測定に用いる測定手段を予備取水口温度計５２に切り換える。これにより、常用取水口温度計５１の復旧に多少時間がかかったとしても、取水口の温度測定の連続性を保つことが可能となり、信頼性が高い取水口の温度測定を行うことが可能になる。また、総量計１０２のＣＰＵ１５０は、常用取水口温度計５１からの水温を監視して、例えば、測定温度が高すぎる、測定温度が長時間同じ値を示している、測定温度と気温とが略等しいといった事象が検出された場合には、常用取水口温度計５１に異常が発生している可能性があると判定して、警報ランプ１６４を点灯する。これにより、警報ランプ群１６２、警報ランプ１６３とともに警報ランプ１６４が点灯している場合には、警報の原因が、常用取水口温度計５１の異常にある可能性が高いことを予め把握しておくことが可能になる。また、警報ランプ群１６２、警報ランプ１６３が点灯せず、警報ランプ１６４のみが点灯している場合には、作業員が常用取水口温度計５１の状態を確認することにより、警報発生を未然に防ぐことが可能になる。
【００９７】
また、第１実施形態によれば、放水口温度を測定する測定手段として、常用放水口温度計７１と予備放水口温度計７２の２つ設け、これらをスイッチＳＷ１２によって切り換えることにより、例えば、常用放水口温度計７１が不調の場合に、放水口温度の測定に用いる測定手段を予備放水口温度計７２に切り換える。これにより、常用放水口温度計７１の復旧に多少時間がかかったとしても、放水口の温度測定の連続性を保つことが可能となり、信頼性が高い放水口の温度測定を行うことが可能になる。また、総量計１０２のＣＰＵ１５０は、常用放水口温度計７１が測定した水温を監視して、例えば、測定温度が高すぎる、測定温度が長時間同じ値を示している、温度変化が大きすぎる、といった事象が検出された場合には、常用放水口温度計７１に異常が発生している可能性があると判定して、警報ランプ１６６、１６７、１６８を点灯する。警報ランプ群１６２、警報ランプ１６３とともに警報ランプ１６６、１６７、１６８が点灯している場合には、警報の原因が、常用放水口温度計７１の異常にある可能性が高いことを予め把握しておくことが可能になる。また、警報ランプ群１６２、警報ランプ１６３が点灯せず、警報ランプ１６６、１６７、１６８が出点灯している場合には、作業員が常用放水口温度計７１の状態を確認することにより、警報発生を未然に防ぐことが可能になる。
【００９８】
また、第１実施形態によれば、常用取水口温度計５１が測定した水温と外気温計測用温度計９０が測定した気温とが略等しい場合には、常用取水口温度計５１の温度計５６が、外気に晒されている状態にあり、ワイヤ５８あるいはフロート５４に引っかかりが生じている可能性があると推測することが可能になる。このように、常用取水口温度計５１の異常の原因を推測することが可能になる。
【００９９】
［第２実施形態］
次に、本発明の第２実施形態について説明する。
図７は、本発明の第２実施形態に係る総量計の制御系を示すブロック図である。なお、図６に示す第１実施形態の総量計１０２と同一の構成については、同一の符号を付して、詳細な説明は、省略する。
【０１００】
図５に示す第１実施形態におけるスイッチＳＷ１１、ＳＷ２１、ＳＷ３１、ＳＷ２１、ＳＷ２２、ＳＷ３２が手動スイッチであることに対し、第２実施形態におけるスイッチＳＷ１１、ＳＷ２１、ＳＷ３１、ＳＷ２１、ＳＷ２２、ＳＷ３２は、制御信号に基づいて接続先が切り換えられる自動スイッチからなるものである。
【０１０１】
第２実施形態におけるスイッチＳＷ１１、ＳＷ２１、ＳＷ３１、ＳＷ１２、ＳＷ２２、ＳＷ３２は、ケーブルを介してＩ／Ｏ１６２に接続されており、ＣＰＵ１５０からの制御信号に基づいて、スイッチＳＷ１１、ＳＷ２１、ＳＷ３１、ＳＷ１２、ＳＷ２２、ＳＷ３２が切り換えられる。
【０１０２】
また、総量計１０２に備えた操作パネル１５６には、取水口温度計切換スイッチ１８０、第１放水口温度計切換スイッチ１８２、第２放水口温度計切換スイッチ１８４、第３放水口温度計切換スイッチ１８６が備えられている。
【０１０３】
取水口温度計切換スイッチ１８０、第１放水口温度計切換スイッチ１８２、第２放水口温度計切換スイッチ１８４、及び第３放水口温度計切換スイッチ１８６は、スイッチＳＷ１１、ＳＷ２１、ＳＷ３１、ＳＷ１２、ＳＷ２２、ＳＷ３２を切り換える制御信号を出力させるための指示入力を行うものである。
【０１０４】
ＣＰＵ１５０は、取水口温度計切換スイッチ１８０が押下（オン）されたことを検知すると、スイッチＳＷ１１、ＳＷ２１、ＳＷ３１に制御信号を送信する。スイッチＳＷ１１、ＳＷ２１、ＳＷ３１は、制御信号を受信すると、接続端子を移動させて、接続先を切り換える。具体的に、スイッチＳＷ１１が常用取水口温度計５１に接続されている場合には予備取水口温度計５２に接続先が切り換えられ、スイッチＳＷ１１が予備取水口温度計５２に接続されている場合には常用取水口温度計５１に接続先が切り換えられる。スイッチＳＷ２１、ＳＷ３１が常用変換器８１に接続されている場合には予備変換器８２に接続先が切り換えられ、スイッチＳＷ２１、ＳＷ３１が予備変換器８２に接続されている場合には常用変換器８１に接続先が切り換えられる。
【０１０５】
なお、詳細については後述するが、スイッチＳＷ１１、ＳＷ２１、ＳＷ３１、ＳＷ２１、ＳＷ２２、ＳＷ３２は、ＣＰＵ１５０の判断に基づいて、自動切り替えが行われる。このため、ＣＰＵ１５０は、取水口温度計切換スイッチ１８０、第１放水口温度計切換スイッチ１８２、第２放水口温度計切換スイッチ１８４、及び第３放水口温度計切換スイッチ１８６の機能を実行させることが可能である。ここで、例えば、取水口温度計５０や放水口温度計７０の定期点検を行う場合等、手動切換が必要な場合に用いられる。
【０１０６】
次に、スイッチＳＷ１１、ＳＷ２１、ＳＷ３１、ＳＷ１２、ＳＷ２２、ＳＷ３２の切換制御について、図８、図９を用いて説明する。なお、以下の説明において、常用取水口温度計５１の信号が常用変換器８１を介して中央制御室に送信できるようにスイッチＳＷ１１、ＳＷ２１、ＳＷ３１を切り換えた回路系統を取水口常用系統と称することにする。また、常用放水口温度計７１の信号が常用変換器８１を介して中央制御室に送信できるようにスイッチＳＷ１２、ＳＷ２２、ＳＷ３２を切り換えた回路系統を放水口常用系統と称することにする。また、予備取水口温度計５２の信号が予備変換器８２を介して中央制御室に送信できるようにスイッチＳＷ１１、ＳＷ２１、ＳＷ３１を切り換えた回路系統を取水口予備系統と称することにする。また、及び予備放水口温度計７２の信号が予備変換器８２を介して中央制御室に送信できるようにスイッチＳＷ１２、ＳＷ２２、ＳＷ３２を切り換えた回路系統を取水口予備系統と称することにする。なお、取水口常用系統と放水口常用系統を合わせて単に常用系統と称し、取水口予備系統と放水口予備系統を合わせて単に予備系統と称する場合もある。また、第２実施形態においては、通常状態において中央制御室には、全て常用系統による温度測定結果が送信されているものとして、以下の説明を行うことにする。
【０１０７】
図８は、第２実施形態において実行される処理を示すフローチャートである。図８に示す処理は、所定時間毎に繰り返し実行される。
【０１０８】
まず、図８に示すように、ステップＳ１０において、ＣＰＵ１５０は、温度差異常判断処理を行う。この処理において、ＣＰＵ１５０は、常用取水口温度計５１及び各常用放水口温度計７１からの信号に基づいて、演算によって求めた温度差平均値、温度差瞬時値及び取水口海水温度変化率と、予め定められた規定値とを比較する。そして、演算によって求めた温度差平均値、温度差瞬時値及び取水口海水温度変化率が規定値を越えたか否かを判断し、判断結果をＲＡＭ１５２に記憶する処理を行う。この処理が終了した場合には、ステップＳ１２に処理を移す。
【０１０９】
ステップＳ１２において、ＣＰＵ１５０は、温度計異常判断処理を行う。この処理において、ＣＰＵ１５０は、常用取水口温度計５１及び各常用放水口温度計７１からの信号に基づいて、常用取水口温度計５１及び各常用放水口温度計７１が異常であるか否かを判断し、判断結果をＲＡＭ１５２に記憶する処理を行う。この処理が終了した場合には、ステップＳ１４に処理を移す。
【０１１０】
ステップＳ１４において、ＣＰＵ１５０は、警報ランプ点灯処理を行う。この処理において、ＣＰＵ１５０は、ＲＡＭ１５２に記憶した、温度差異常及び温度計異常に基づいて、異常の種類に応じた制御信号を警報盤１６０に送信する処理を行う。警報盤１６０は、受信した制御信号に基づいて警告ランプを点灯させる。この処理が終了した場合には、ステップＳ１６に処理を移す。
【０１１１】
ステップＳ１６において、ＣＰＵ１５０は、取水口温度計切換処理を行う。この処理の詳細は後述するが、ＣＰＵ１５０は、取水口常用系統から取水口予備系統への自動切り替えを行う処理を行う。この処理が終了した場合には、ステップＳ１８に処理を移す。
【０１１２】
ステップＳ１８において、ＣＰＵ１５０は、放水口温度計切換処理を行う。この処理において、ＣＰＵ１５０は、ステップＳ１２の処理において異常と判断された放水口の放水口常用系統を、放水口予備系統に切り換える処理を行う。この処理が終了した場合には、ステップＳ２０に処理を移す。例えば、ＣＰＵ１５０は、第１放水口２０に設けられた常用放水口温度計７１に異常があると判断された場合には、まず、常用放水口温度計７１からの信号をホールドする。次に、ＣＰＵ１５０は、スイッチＳＷ１２、ＳＷ２２、ＳＷ３２に制御信号を送信する。スイッチＳＷ１２、ＳＷ２２、ＳＷ３２は、ＣＰＵ１５０からの制御信号に基づいて接続先を変更して、放水口常用系統から放水口予備系統に切り換える。さらに、ＣＰＵ１５０は、記録計１００に記録されるデータを監視して、放水口予備系統で正常に動作しているか否かを判断し、正常と判断した場合には、ホールド状態を解除する。これにより、放水口予備系統による測定温度の信号が総量計１０２に送信される。このように、ＣＰＵ１５０は、第２切換制御手段に相当する。
【０１１３】
ステップＳ２０において、ＣＰＵ１５０は、スイッチ切換指示入力の有無を判断する処理を行う。警報が発生した後、復旧作業が行われ、復旧が完了した場合には、復旧作業員から復旧作業終了の旨が１，２号中央制御室に連絡される。復旧が完了した旨を受けた１，２号中央制御室の作業員は、操作パネル１５６を操作して、スイッチ切換指示入力をＣＰＵ１５０に送信する。ＣＰＵ１５０は、スイッチ切換指示入力を受信していると判断した場合には、ステップＳ２２に処理を移す。スイッチ切換指示入力を受信していると判断しない場合には、本ルーチンの処理を終了する。
ステップＳ２２において、ＣＰＵ１５０は、温度計切換処理を行う。この処理において、ＣＰＵ１５０は、予備系統で運用している回路系統を、スイッチ切換指示入力に基づいて、常用系統に切り換える処理を行う。例えば、常用取水口温度計５１が異常と判断され、予備系統に切り換えて海面温度計測を行っている間に、常用取水口温度計５１の復旧作業を行う。そして、常用取水口温度計５１の復旧作業が完了した後に、１，２号中央制御室の作業員が、操作パネル１５６を操作して、スイッチ切換指示入力をＣＰＵ１５０に送信することにより、取水口予備系統から取水口常用系統に切り換えられる。この処理が終了した場合には、本ルーチンの処理を終了する。
【０１１４】
図９は、図８のステップＳ１６において実行される処理を示すフローチャートである。
【０１１５】
図９に示すように、まず、ステップＳ３０において、ＣＰＵ１５０は、温度差異常であるか否かを判断する処理を行う。この処理において、ＣＰＵ１５０は、ステップＳ１０（図８参照）の処理において、温度差異常と判断している場合には、ステップＳ３２に処理を移す。温度差異常と判断していない場合には、本サブルーチンを終了する。
【０１１６】
ステップＳ３２において、ＣＰＵ１５０は、取水口温度計異常であるか否かを判断する処理を行う。この処理において、ＣＰＵ１５０は、ステップＳ１２（図８参照）の処理における判断結果が取水口温度計異常であるか否かを判断し、取水口温度計異常であると判断した場合には、ステップＳ３４に処理を移す。取水口温度計異常であると判断しない場合には、本サブルーチンを終了する。
【０１１７】
ステップＳ３４において、ＣＰＵ１５０は、気温と水温を比較する処理を行う。この処理において、ＣＰＵ１５０は、外気温計測用温度計９０が測定する気温と、常用取水口温度計５１が測定する水温との差を取り、ＲＡＭ１５２に記憶する処理を行う。この処理が終了した場合には、ステップＳ３６に処理を移す。
【０１１８】
ステップＳ３６において、ＣＰＵ１５０は、気温と水温が略一致しているか否かを判断する処理を行う。この処理において、ＣＰＵ１５０は、ＲＡＭ１５２に記憶されている気温と水温との差に基づいて、気温と水温が略一致しているか否かを判断する処理を行う。略一致していると判断した場合には、ステップＳ３８に処理を移す。略一致していると判断した場合には、ステップＳ４２に処理を移す。なお、ＣＰＵ１５０は、気温と水温が略一致していると判断した場合には、常用取水口温度計で、ワイヤ５８に引っかかっていると判断し、例えば、表示装置１５８に、「取水口温度計で、ワイヤが引っかかってます。確認にしてください」という画像を表示させてもよい。
【０１１９】
ステップＳ３８において、ＣＰＵ１５０は、タイマ計数を行う。この処理において、ＣＰＵ１５０は、ＲＡＭ１５２の所定領域に時間データを記憶し、この時間データを一定値ずつ減算していくことにより、減算タイマとして機能させる。この時間データとしては、作業員が常用取水口温度計５１において、ワイヤ３８の復旧作業が完了できる程度の時間が設定される。この処理が終了した場合には、ステップＳ４０に処理を移す。
【０１２０】
ステップＳ３６において、ＣＰＵ１５０は、タイマが０になったか否かを判断する処理を行う。この処理において、ＣＰＵ１５０は、タイマが０になったと判断した場合にステップＳ４２に処理を移す。
【０１２１】
ステップＳ４０において、ＣＰＵ１５０は、ホールド処理を行う。この処理において、ＣＰＵ１５０は、常用取水口温度計５１からの信号をホールドする処理を行う。この処理が終了した場合には、ステップＳ４４に処理を移す。
【０１２２】
ステップＳ４４において、ＣＰＵ１５０は、制御信号出力処理を行う。この処理において、ＣＰＵ１５０は、スイッチＳＷ１１、ＳＷ２１、ＳＷ３１に制御信号を送信する処理を行う。スイッチＳＷ１１、ＳＷ２１、ＳＷ３１は、ＣＰＵ１５０からの制御信号に基づいて接続先を変更して、取水口常用系統から取水口予備系統に切り換える。この処理が終了した場合には、ステップＳ４６に処理を移す。このように、ＣＰＵ１５０は、第１切換制御手段に相当する。
【０１２３】
ステップＳ４６において、ＣＰＵ１５０は、ホールド解除処理を行う。この処理において、ＣＰＵ１５０は、記録計１００に記録されるデータを監視して、取水口予備系統で正常に動作しているか否かを判断し、正常と判断した場合には、ホールド状態を解除する。これにより、予備取水口温度計５２による測定温度の信号が総量計１０２に送信される。この処理が終了した場合には、本サブルーチンを終了する。
【０１２４】
以上、説明したように第２実施形態によれば、総量計１０２のＣＰＵ１５０からの制御信号に基づいてスイッチＳＷ１１及びスイッチＳＷ１２を自動的に切り換えることができるため、スイッチＳＷ１１及びスイッチＳＷ１２の切換にかかる作業負担を省くことが可能になる。
【０１２５】
また、第２実施形態によれば、温度差異常が発生した場合、あるいは温度計異常が発生した場合には、基本的に、常用系統から予備系統に自動的に切り換えられる。ただし、常用取水口温度計５１が異常と判断された場合において、ワイヤ５８の引っかかりに起因する異常であれば、復旧作業は比較的容易であるため、一定時間だけ、常用系統から予備系統への自動切換が保留される。そして、一定時間内に復旧作業が完了した場合には、温度差異常の警報が解除されるため、ステップＳ１６の取水口温度計切換処理は実行されないようになる（図８のステップＳ３０のＮＯ）。また、一定時間内に復旧作業が完了しない場合には、常用系統から予備系統への自動切換が実行されるため、信頼性が低い常用取水口温度計５１からの測定結果を中央制御室に送信し続けることが防止できる。
【０１２６】
以上、本実施形態について説明したが、本発明の実施形態は、上述したものに限るものではない。例えば、本実施形態においては、気温と水温が一致しているか否かを判断することによって、ワイヤ３８が引っかかっているか否かを判断している。さらに、それに加えて、図１０に示すように、フロート５４から巻き取り装置６０までのワイヤ３８の長さを測定する、ワイヤ長測定手段に相当するワイヤ長測定装置９２を設け、このワイヤ長測定装置９２の測定結果を総量計１０２に送信するようにしてもよい。これにより、通常は、水位の変化によってフロート５４の位置が変化するため、フロート５４から巻き取り装置６０までのワイヤ３８の長さも徐々にではあるが変化する。このため、長時間（例えば、５時間）ワイヤ長が変化しない場合には、ワイヤ３８が引っかかっていると見なすことが可能になる。
【０１２７】
ワイヤ長測定装置９２としては、巻き取り装置６０が有するワイヤ３８を巻き取るリールの回転量を求めることによって、ワイヤ長を監視する装置が適用可能である。具体的には、ＣＰＵ１５０は、満潮時におけるリールの位置を基準として、干潮時におけるリールの回転量を求める。この時の回転量が、規定の回転量より小さい場合に、ワイヤ３８が引っかかっていると判断する。ここで、規定の回転量は、例えば、一年において最も小さい干満の差に基づいて算出したリールの回転量が適用可能である。
【０１２８】
このように、外気温計測用温度計９０とワイヤ長測定装置９２との測定結果を併用することにより、ワイヤ３８が引っかかっているとの判断に対する信頼性を向上させることが可能になる。
【符号の説明】
【０１２９】
ＳＷ１１、ＳＷ２１、ＳＷ３１、ＳＷ１２、ＳＷ２２、ＳＷ３２  スイッチ
１０  第１取水口
１２  第２取水口
１４  第３取水口
２０  第１放水口
２２  第２放水口
２４  第３放水口
３０  第１水路
３２  第２水路
３４  第３水路
４０  カーテンウォール
４２  開口部
５０  取水口温度計
５１  常用取水口温度計
５２  予備取水口温度計
５４  フロート
５６  温度計
５８  ワイヤ
６０  巻き取り装置
６２  カバー
６４  ガイドパイプ
７０  放水口温度計
７１  常用放水口温度計
７２  予備放水口温度計
７４  温度計
７６  シャフト
８０  変換器
８１  常用変換器
８２  予備変換器
９０  外気温計測用温度計
９２  ワイヤ長測定装置
１００  記録計
１０２  総量計
１２０  総量計
１５０  ＣＰＵ
１５２  ＲＡＭ
１５４  ＲＯＭ
１５６  操作パネル
１５８  表示装置
１６０  警報盤
１６２  警報ランプ群
１６３、１６４、１６６、１６７、１６８  警報ランプ
１７０  取水口計器点検スイッチ
１７２  第１放水口計器点検スイッチ
１７４  第２放水口計器点検スイッチ
１７６  第３放水口計器点検スイッチ
１８０  取水口温度計切換スイッチ
１８２  第１放水口温度計切換スイッチ
１８４  第２放水口温度計切換スイッチ
１８６  第３放水口温度計切換スイッチ
【図１】
0005111579.tif 000002
【図２】
0005111579.tif 000003
【図３】
0005111579.tif 000004
【図４】
0005111579.tif 000005
【図５】
0005111579.tif 000006
【図６】
0005111579.tif 000007
【図７】
0005111579.tif 000008
【図８】
0005111579.tif 000009
【図９】
0005111579.tif 000010
【図１０】
0005111579.tif 000011